(57)【要約】【課題】ＲＡＷ画像からの高画質現像と高画質画像の表示の高速化を両立できるようにする。【解決手段】ＲＡＷ画像の画像情報を生成し、当該ＲＡＷ画像を矩形領域に分割して圧縮、記録するように構成する。画像を表示する場合には、伸長、現像処理された画像情報を表示し、さらに、拡大表示あるいはスクロール操作をするときに、表示要求の有った矩形領域のＲＡＷ画像を高画質に現像処理を施し表示するよう構成する。また、スクロール表示される可能性のある矩形領域のＲＡＷ画像を予め現像するように構成する。【選択図】図１
2015220606.tif 000002
【特許請求の範囲】
【請求項１】
画像情報を所定の大きさの矩形領域に分割する画像分割手段と、
前記矩形領域ごとに前記画像情報を圧縮して圧縮ＲＡＷ情報を生成するＲＡＷ圧縮手段と、
前記圧縮ＲＡＷ情報を記憶する記憶手段と、
前記画像情報のうち、所定領域を選択する選択手段と、
前記矩形領域ごとに前記圧縮ＲＡＷ情報を伸長し、前記選択手段で所定領域が選択された際には所定領域が含まれる矩形領域を伸長するＲＡＷ伸長手段と、
前記ＲＡＷ伸長手段によって伸長された画像を現像する現像手段と、
前記現像された画像を表示する表示手段と、
前記選択手段により選択された所定領域と隣接した領域に、画像をスクロールするスクロール制御手段と、
前記スクロール制御手段によって次に表示される領域を予測するスクロール予測手段と、
前記スクロール予測手段が予測した領域に含まれる矩形領域の前記圧縮ＲＡＷ情報をスクロールが指示される前から予め伸長して現像するよう、前記ＲＡＷ伸長手段及び前記現像手段を制御する制御手段とを有することを特徴とする画像処理装置。
【請求項２】
前記スクロール予測手段は、
前記スクロール制御手段によって直前にスクロールした方向が指す領域を次に表示される領域として予測することを特徴とする請求項１に記載の画像処理装置。
【請求項３】
前記スクロール予測手段は、
前記スクロール制御手段によってスクロールした方向の履歴を記録する履歴記録手段を備え、
前記履歴記録手段により記録された前記履歴を用いて次に表示される領域を予測することを特徴とする請求項２に記載の画像処理装置。
【請求項４】
前記スクロール予測手段は、
前記履歴記録手段により記録された履歴から次に表示される領域を予測する際に、前記履歴記録手段に最も多くの履歴が記録されているスクロール方向を用いることを特徴とする請求項３に記載の画像処理装置。
【請求項５】
前記スクロール予測手段は、
前記履歴記録手段に記録された履歴から次に表示される領域を予測する際に、直前の複数回の履歴を用いてスクロール方向を予測することを特徴とする請求項３に記載の画像処理装置。
【請求項６】
前記スクロール予測手段は、
前記履歴記録手段により記録された履歴から次に表示される領域を予測する際に、直前の複数回のスクロールの向きをそれぞれベクトルとみなして、前記ベクトルを加算した結果のベクトルの向きが指す領域を次に表示される領域として予測することを特徴とする請求項３に記載の画像処理装置。
【請求項７】
前記画像情報において被写体となるオブジェクトを記録するオブジェクト記録手段を備え、
前記スクロール予測手段は、
前記オブジェクト記録手段にオブジェクトが記録されている領域を次に表示される領域として予測することを特徴とする請求項１〜６の何れか１項に記載の画像処理装置。
【請求項８】
前記オブジェクト記録手段は、
記録したオブジェクトに優先度情報を紐付けし、
前記スクロール予測手段は、
前記オブジェクト記録手段に記録されたオブジェクトの優先度情報を参照して高い優先度を持つオブジェクトが存在する領域を次に表示される領域として予測することを特徴とする請求項７に記載の画像処理装置。
【請求項９】
特定のオブジェクトを登録するオブジェクト指定手段を備え、
前記優先度情報において、
被写体となったオブジェクトが前記オブジェクト指定手段により登録されたオブジェクトと類似する場合により高い優先度が与えられることを特徴とする請求項８に記載の画像処理装置。
【請求項１０】
前記オブジェクト指定手段は、
予め登録されたオブジェクトから優先度を高めたいオブジェクトを選択することを特徴とする請求項９に記載の画像処理装置。
【請求項１１】
前記オブジェクト指定手段は、
前記オブジェクト記録手段に記録されているオブジェクトから優先度を高めたいオブジェクトを選択することを特徴とする請求項９に記載の画像処理装置。
【請求項１２】
動いているオブジェクトに対して追尾してフォーカスを合わせる追尾手段を備え、
前記優先度情報において、
被写体となったオブジェクトが前記追尾手段の追尾対象である場合により高い優先度が与えられることを特徴とする請求項９に記載の画像処理装置。
【請求項１３】
前記優先度情報において、
前記被写体となったオブジェクトが前記オブジェクト記録手段に記録されたオブジェクトと一致あるいは類似するときに優先度を繰り上げることを特徴とする請求項８〜１２の何れか１項に記載の画像処理装置。
【請求項１４】
前記オブジェクトは人物の顔情報であることを特徴とする請求項７〜１３の何れか１項に記載の画像処理装置。
【請求項１５】
人物の顔の向きを認識する顔向き認識手段を備え、
前記スクロール予測手段は、
顔の向きの方向が指す領域を次に表示される領域として予測することを特徴とする請求項１〜１４の何れか１項に記載の画像処理装置。
【請求項１６】
画像情報を所定の大きさの矩形領域に分割する画像分割工程と、
前記矩形領域ごとに前記画像情報を圧縮して圧縮ＲＡＷ情報を生成するＲＡＷ圧縮工程と、
前記圧縮ＲＡＷ情報を記憶する記憶工程と、
前記画像情報のうち、所定領域を選択する選択工程と、
前記矩形領域ごとに前記圧縮ＲＡＷ情報を伸長し、前記選択工程で所定領域が選択された際には所定領域が含まれる矩形領域を伸長するＲＡＷ伸長工程と、
前記ＲＡＷ伸長工程において伸長された画像を現像する現像工程と、
前記現像された画像を表示する表示工程と、
前記選択工程において選択された所定領域と隣接した領域に、画像をスクロールするスクロール制御工程と、
前記スクロール制御工程において次に表示される領域を予測するスクロール予測工程と、
前記スクロール予測工程が予測した領域に含まれる矩形領域の前記圧縮ＲＡＷ情報をスクロールが指示される前から予め伸長して現像するよう、前記ＲＡＷ伸長工程及び前記現像工程を制御する制御工程とを有することを特徴とする画像処理装置の制御方法。
【請求項１７】
画像情報を所定の大きさの矩形領域に分割する画像分割工程と、
前記矩形領域ごとに前記画像情報を圧縮して圧縮ＲＡＷ情報を生成するＲＡＷ圧縮工程と、
前記圧縮ＲＡＷ情報を記憶する記憶工程と、
前記画像情報のうち、所定領域を選択する選択工程と、
前記矩形領域ごとに前記圧縮ＲＡＷ情報を伸長し、前記選択工程で所定領域が選択された際には所定領域が含まれる矩形領域を伸長するＲＡＷ伸長工程と、
前記ＲＡＷ伸長工程において伸長された画像を現像する現像工程と、
前記現像された画像を表示する表示工程と、
前記選択工程において選択された所定領域と隣接した領域に、画像をスクロールするスクロール制御工程と、
前記スクロール制御工程において次に表示される領域を予測するスクロール予測工程と、
前記スクロール予測工程が予測した領域に含まれる矩形領域の前記圧縮ＲＡＷ情報をスクロールが指示される前から予め伸長して現像するよう、前記ＲＡＷ伸長工程及び前記現像工程を制御する制御工程とをコンピュータに実行させることを特徴とするプログラム。
【請求項１８】
請求項１７に記載のプログラムを記憶したことを特徴とするコンピュータ読み取り可能な記憶媒体。
【発明の詳細な説明】
【技術分野】
【０００１】
本発明は画像処理装置及び画像処理装置の制御方法に関し、特に、ＲＡＷ画像からの現像及びその表示処理に用いて好適な技術に関する。
【背景技術】
【０００２】
従来の撮像装置では、撮像センサーによって撮像された生の画像情報（ＲＡＷ画像）をデベイヤー処理（デモザイク処理）し、輝度と色差から成る信号に変換して、各信号についてノイズ除去、光学的な歪補正、画像の適正化などの所謂現像処理を行っている。そして、現像処理された輝度信号及び色差信号を圧縮符号化して、記録媒体に記録するのが一般的である。
【０００３】
しかし、現像処理に用いる明るさやホワイトバランス、シャープネスなどのパラメータをメーカー側で決めてしまっているため、ユーザー好みの画像を必ずしも作ることができないという問題があった。
【０００４】
一方で、ＲＡＷ画像を記録できる撮像装置も存在する。ＲＡＷ画像は、記録に必要なデータ量が膨大になるが、オリジナル画像に対する補正や劣化を最低限に抑えられ、撮影後に編集できる利点があるので、上級者によって好んで使われている。
【０００５】
ＲＡＷ画像を記録する撮像装置の構成は特許文献１に開示されている。特許文献１には、ＲＡＷ画像と共に現像パラメータを記録しておき、再生時に当該現像パラメータを用いてＲＡＷ画像の現像及び再生を行う構成が記載されている。
【先行技術文献】
【特許文献】
【０００６】
【特許文献１】特開２０１１−２４４４２３号公報
【特許文献２】特開２００６−２６０４０３号公報
【発明の概要】
【発明が解決しようとする課題】
【０００７】
近年の撮像装置は、撮像センサーが進化し、画像１枚あたりの画素数が大幅に増加してきている。また、１秒あたりに連写できる画像の枚数も増える傾向にある。そのため、ＲＡＷ画像に対するデベイヤー処理や、ノイズ除去、光学歪補正など、現像処理を成すそれぞれの処理量が相乗的に増大するため、リアルタイムで現像処理から表示までを行うために非常に高い処理能力が必要となってしまう。
【０００８】
一方、前述の特許文献１のように、ＲＡＷ画像を現像せずに記録する構成ならば、撮影時の現像に係る処理量は軽減される。しかしながら、現像されていない状態でＲＡＷ画像が記録されるために、画像を速やかに再生表示することが困難である。さらに、ＲＡＷ画像特有のデータの特殊性によって、他の機器ではＲＡＷ画像を再生（現像）できなかったりするので、従来のＲＡＷ画像の記録方式では、ユーザーの利便性を損なうことがあった。
【０００９】
このように、従来の装置で、ＲＡＷ画像を高速に現像して表示するには、高コストの回路を搭載して高出力で駆動できるようにするか、ＲＡＷ画像を記録して高速かつ簡便に再生できるように構成しなければならない課題があった。
本発明は前述の問題点に鑑み、ＲＡＷ画像からの高画質現像と高画質画像の表示の高速化を両立できるようにすることを目的とする。
【課題を解決するための手段】
【００１０】
本発明の画像処理装置は、画像情報を所定の大きさの矩形領域に分割する画像分割手段と、前記矩形領域ごとに前記画像情報を圧縮して圧縮ＲＡＷ情報を生成するＲＡＷ圧縮手段と、前記圧縮ＲＡＷ情報を記憶する記憶手段と、前記画像情報のうち、所定領域を選択する選択手段と、前記矩形領域ごとに前記圧縮ＲＡＷ情報を伸長し、前記選択手段で所定領域が選択された際には所定領域が含まれる矩形領域を伸長するＲＡＷ伸長手段と、前記ＲＡＷ伸長手段によって伸長された画像を現像する現像手段と、前記現像された画像を表示する表示手段と、前記選択手段により選択された所定領域と隣接した領域に、画像をスクロールするスクロール制御手段と、前記スクロール制御手段によって次に表示される領域を予測するスクロール予測手段と、前記スクロール予測手段が予測した領域に含まれる矩形領域の前記圧縮ＲＡＷ情報をスクロールが指示される前から予め伸長して現像するよう、前記ＲＡＷ伸長手段及び前記現像手段を制御する制御手段とを有することを特徴とする。
【発明の効果】
【００１１】
本発明によれば、ＲＡＷ画像からの高画質現像と高画質画像の表示の高速化を両立することが可能となり、高コストの回路を搭載することなく、ＲＡＷ画像を表示するまでの時間を短縮することができる。
【図面の簡単な説明】
【００１２】
【図１】本発明の第１の実施形態に係る撮像装置の構成例を示すブロック図である。
【図２】撮像センサー部に配置されるカラーフィルターの一例を示す図である。
【図３】本発明の撮像装置の各動作モードへの遷移を示す状態遷移図である。
【図４】本発明の第１の実施形態に係る撮像装置のバックグラウンド現像を説明するフローチャートである。
【図５】本発明の第１の実施形態に係る撮像装置の撮影モード時の処理手順を説明するフローチャートである。
【図６】本発明の第１の実施形態に係る撮像装置の表示モード時の処理手順を説明するフローチャートである。
【図７】本発明の第１の実施形態に係る撮像装置のスクロール予測時の処理手順を説明するフローチャートである。
【図８】本発明の第１の実施形態に係る撮像装置の複数の矩形領域の高画質現像画像から１枚の画像を生成する例を表した図である。
【図９】本発明の第２の実施形態に係る撮像装置のスクロール予測時の処理手順を説明するフローチャートである。
【図１０】本発明の第３の実施形態に係る撮像装置のスクロール予測時の処理手順を説明するフローチャートである。
【図１１】本発明の第３の実施形態に係る撮像装置のスクロール予測の例を表した図である。
【図１２】本発明の第４の実施形態に係る撮像装置の構成例を示すブロック図である。
【図１３】本発明の第４の実施形態に係る撮像装置のオブジェクト出現位置の記録の例を表した図である。
【図１４】本発明の第４の実施形態に係る撮像装置の撮影モード時の処理手順を説明するフローチャートである。
【図１５】本発明の第４の実施形態に係る撮像装置のスクロール予測時の処理手順を説明するフローチャートである。
【図１６】本発明の第５の実施形態に係る撮像装置のオブジェクト記録の例を表した図である。
【図１７】本発明の第５の実施形態に係る撮像装置の撮影モード時の処理手順を説明するフローチャートである。
【図１８】本発明の第５の実施形態に係る撮像装置のスクロール予測時の処理手順を説明するフローチャートである。
【図１９】本発明の第６の実施形態に係る撮像装置の構成を示すブロック図である。
【図２０】本発明の第６の実施形態に係る撮像装置の撮影モード時の処理手順を説明するフローチャートである。
【図２１】本発明の第７の実施形態に係る撮像装置の構成を示すブロック図である。
【図２２】本発明の第７の実施形態に係る撮像装置の顔向き情報の記録の例を表した図である。
【図２３】本発明の第７の実施形態に係る撮像装置の撮影モード時の処理手順を説明するフローチャートである。
【図２４】本発明の第７の実施形態に係る撮像装置のスクロール予測時の処理手順を説明するフローチャートである。
【発明を実施するための形態】
【００１３】
以下、本発明の好ましい実施形態を添付の図面を参照して詳細に説明する。
［第１の実施形態］
本発明の画像処理装置を適用した第１の実施形態である撮像装置の構成及び処理の流れについて、図１のブロック図を参照しながら説明する。
【００１４】
本実施形態の撮像装置１００は、装置制御部１０１、撮像レンズ部１０２、撮像センサー部１０３、センサー信号処理部１０４、画像分割部１０５、ＲＡＷ圧縮部１０６、記録再生部１０７、記録媒体１０８を備える。また、簡易現像部１０９、表示処理部１１０、表示部１１１、静止画圧縮部１１２、静止画伸長部１１３、拡大選択部１１４、スクロール制御部１１５、スクロール予測部１１６を備える。さらに、ＲＡＷ伸長部１１７、高画質現像部１１８、操作部１１９、静止画マージ部１２０を備える。
【００１５】
まず、本発明の実施形態の撮像装置１００のブロック図における各装置の基本動作について説明する。
装置制御部１０１は、ＣＰＵと、当該ＣＰＵが実行する制御プログラムを格納するメモリを含み、撮像装置１００を構成する装置全体の処理を制御する。なお、装置制御部１０１では、撮影モード、表示モード、及びアイドルの３つのモードの制御を行う。
【００１６】
撮影モード、表示モードの設定は操作部１１９を介して、ユーザーによって行われる。撮影モード、表示モードが選択されていないとき、また終了したときは自動的にアイドルの状態になる。アイドル状態は、撮像装置１００が撮影モード、表示モードの何れの動作もしていない状態のことを指す。操作部１１９における操作は、切り替えスイッチを用いたり、タッチパネルを用いたりすることなどで実現できる。なお、本実施形態の撮像装置は、アイドル状態のときに後述するバックグラウンド現像を行うように構成されている。
【００１７】
装置制御部１０１に制御されることによって撮像装置１００が撮影モードで動作する場合、被写体の光学像が撮像レンズ部１０２を介して入力され、撮像センサー部１０３に結像する。
撮像センサー部１０３は、画素毎に配置される（赤、緑、青のＲＧＢ）のカラーフィルターを透過した光を電気信号に変換する。
【００１８】
図２は、撮像センサー部１０３に配置されるカラーフィルターの一例を示す図であり、撮像装置１００が扱う画像の画素配列を表している。
図２に示すように、カラーフィルターは赤（Ｒ）、緑（Ｇ）、青（Ｂ）が画素毎にモザイク状に配置されていて、２×２の４画素につき赤１画素、青１画素、緑２画素を１セットにして規則的に並べられた構造となっている。このような画素の配置は、一般にベイヤ―配列と呼ばれる。
【００１９】
センサー信号処理部１０４は、撮像センサー部１０３から供給された電気信号に対して修復処理を施す。修復処理には、撮像センサー部１０３における欠落画素や信頼性の低い画素の値に対し、周辺画素値を用いて修復対象の画素を補間したり、所定のオフセット値を減算したりする処理が含まれる。本実施形態では、センサー信号処理部１０４から出力される画像情報を、生（未現像）の画像を意味するＲＡＷ画像と称す。
【００２０】
画像分割部１０５は、センサー信号処理部１０４から出力されるＲＡＷ画像を所定の大きさの矩形領域に分割する。
ＲＡＷ圧縮部１０６は、対象となるＲＡＷ画像に対して、ウェーブレット変換や差分符号化などの技術を用いて高能率符号化（圧縮符号化）し、情報量が圧縮された画像情報を生成して、圧縮ＲＡＷ画像（圧縮ＲＡＷ情報）に変換する。ＲＡＷ圧縮部１０６の高能率符号化は、非可逆符号化でも可逆符号化でもよい。或いは、ＲＡＷ圧縮部１０６のＲＡＷ圧縮を省略して、ＲＡＷ画像が非圧縮の状態のままスルー出力されてもよい。
【００２１】
記録再生部１０７は、各処理部から供給されるデータ（後述する圧縮ＲＡＷ画像など）の記録媒体１０８への書き込み、及び各処理部から要求されたデータの記録媒体１０８からの読み出しを制御する。
【００２２】
記録媒体１０８は、各処理部から出力される各種データを記録するための記憶領域である。記録媒体１０８は、内蔵式の磁気ディスクや半導体メモリ（例えばＳＳＤ）、又は着脱式のメモリカード（例えばＳＤカードやＳＳＤ）などで構成することができる。
なお、本実施形態では圧縮ＲＡＷ画像を画像分割部１０５で分割された矩形領域毎に記録媒体１０８に記録、管理するが、ＪＰＥＧ２０００形式のファイルのようにタイル毎に圧縮した画像を１つのファイルで管理してもよい。
【００２３】
簡易現像部１０９は、ＲＡＷ画像に現像処理を施す。現像処理とは、ＲＡＷ画像に対してデベイヤー処理（デモザイク処理）を施し、輝度と色差から成る信号に変換、各信号に含まれるノイズを除去、光学的な歪を補正し、画像を適正化するなどの処理のことを指す。
ここで、簡易現像部１０９は、撮影した画像全体を確認用画像として高速に表示するために、簡易な現像を行う第１の現像手段として設けられているものであるため、各々の処理については、本来の現像処理に用いるものと比べ簡略化している。例えば、現像後の画像サイズを２００万画素以下に制限したり、ノイズ除去や光学的な歪補正を限定的な処理に留めたり或いは省いたりすることで、現像の高速処理や簡易処理を実現している。
【００２４】
表示処理部１１０は、供給された画像に対して所定の処理（ガンマ補正など）を施す。
表示部１１１は、表示処理部１１０から供給された画像を表示する。ここで、表示部１１１の構成としては、液晶ディスプレイやＬＥＤパネル等を用いてもよい。
静止画圧縮部１１２は、対象となる画像に対して、高能率符号化し、情報量が圧縮された画像情報を生成して、圧縮画像ファイルに変換する。静止画圧縮部１１２は、ＪＰＥＧやＪＰＥＧ２０００、ＪＰＥＧ−ＸＲなど公知の技術を用いることができる。
【００２５】
静止画伸長部１１３は、圧縮画像ファイルを復号して伸長する。
拡大選択部１１４は、ユーザーの拡大表示要求に対して、記録再生部１０７を介して記録媒体１０８から該当する矩形領域の圧縮ＲＡＷ画像を読み出す。
スクロール制御部１１５は、ユーザーのスクロール要求に対して、記録再生部１０７を介して記録媒体１０８から該当する矩形領域の圧縮ＲＡＷ画像を読み出す。
なお、拡大選択部１１４、スクロール制御部１１５はキーやボタンを別途用意してもよいし、表示部１１１をタッチパネルとして拡大選択、スクロール制御の機能を与えてもよい。
【００２６】
スクロール予測部１１６は、次のスクロールの方向を予測して、予測方向に存在する矩形領域の圧縮ＲＡＷ画像を記録再生部１０７を介して記録媒体１０８から読み出す。
なお、スクロール予測部１１６は、スクロール予測に用いる情報を記録するための履歴記録手段として機能するメモリを有している。本実施形態では、スクロール制御部１１５から供給された直前のスクロール指示のスクロール方向をスクロール予測部１１６のメモリに記録する。
【００２７】
ＲＡＷ伸長部１１７は、圧縮ＲＡＷ画像を復号、伸長する。
高画質現像部１１８は、簡易現像部１０９よりも高画質である高画質画像を低速で生成するための第２の現像手段として設けられているものであり、処理負荷が大きい高画質現像処理をＲＡＷ画像に施す。
【００２８】
静止画マージ部１２０は、拡大表示やスクロール表示、スクロール予測、後述のバックグラウンド現像で高画質現像された矩形領域を格納するメモリを持ち、図８に示すようにそれらをマージして１枚の高画質現像画像を生成する。
また拡大、スクロール指示に既に高画質現像済みの矩形領域を用いる場合は、静止画マージ部１２０のメモリから読み出す。静止画マージ部１２０のメモリに画像を格納する際には、非圧縮の状態で格納するが、圧縮してから格納してもよい。また、静止画マージ部１２０は、スクロール制御部１１５にスクロール先の矩形領域の高画質現像画像が存在しているか否かの情報を供給する。
以上の処理部により、第１の実施形態である撮像装置１００が構成されている。
【００２９】
なお、本実施形態では静止画撮影のみの構成であるが、動画圧縮部及び動画伸長部を別途設けることで、静止画と動画の両方に対応させることもできる。この場合、動画圧縮部、動画伸長部は、ＭＰＥＧ−４やＨ．２６４、Ｈ．２６５等を用いて構成することができる。
【００３０】
続いて、第１の実施形態である撮像装置１００の処理フローの説明を行う。
図３は、撮像装置１００における各動作モードへの遷移を示す状態遷移図である。動作モードの遷移は装置制御部１０１を介したユーザーの指示で遷移することもあれば、自動で遷移することもある。図３の様に、撮像装置１００は、アイドル状態（Ｓ３００）を経由して２つのモード、撮影モード（Ｓ３０１）、表示モード（Ｓ３０２）に適宜切り替わって動作する。
【００３１】
＜アイドル時動作＞
次に、撮像装置１００のアイドル状態における動作について説明する。
図４は、本実施形態に係る撮像装置のバックグラウンド現像を説明するフローチャートである。図４のフローチャートは、装置制御部１０１によって撮像装置１００の各処理部を制御して実行される処理手順を図示したものである。この処理手順については、装置制御部１０１が有するメモリ（ＲＯＭ）に格納されているプログラムをＲＡＭで構成されるメモリに展開して、ＣＰＵが実行することで実現される。
【００３２】
Ｓ４００でアイドル状態のときに、Ｓ４０１において装置制御部１０１はユーザーが操作部１１９を介して撮影モードを選択しているか否かを判定する。撮影モードが選択されていた場合は、Ｓ４０２に進んで撮像装置１００の状態を撮影モード（Ｓ３０１）に遷移させる。
【００３３】
撮影モードが選択されていない場合、Ｓ４０３に進み、装置制御部１０１はユーザーが操作部１１９を介して表示モードを選択しているか否かを判定する。
Ｓ４０３において、表示モードが選択されていた場合はＳ４０４に進んで撮像装置１００の状態を表示モード（Ｓ３０２）に遷移させる。
【００３４】
Ｓ４０１及びＳ４０３の判定の結果、撮像装置１００の状態が撮影モード、表示モードのどちらにも遷移しない場合は、撮像装置１００はバックグラウンド現像を行う。ここでバックグラウンド現像とは、撮像装置１００の状態がアイドル状態のときに、記録媒体１０８に記録された圧縮ＲＡＷ画像を読み出して高画質現像処理を施す処理のことを指す。
【００３５】
以下、記録媒体１０８に１枚のＲＡＷ画像（実際は、複数の矩形領域に分割されている）があることを前提に説明を行う。
まず、Ｓ４０５では、静止画マージ部１２０のメモリに全矩形領域の高画質現像画像が存在するか否か確認する。高画質現像をしていない未処理の矩形領域がある場合は、Ｓ４０６に進んで記録再生部１０７を介して記録媒体１０８から未処理の矩形領域の圧縮ＲＡＷ画像を読み出し、Ｓ４０７においてＲＡＷ伸長部１１７で伸長する。Ｓ４０８において伸長した圧縮ＲＡＷ画像に対して高画質現像を施した後、Ｓ４０９において静止画マージ部１２０のメモリに格納する。
【００３６】
全ての矩形領域の高画質現像画像が存在する場合は、Ｓ４１０に進んで静止画マージ部１２０によってマージされて１枚の高画質現像画像が生成されたか否かを確認する。確認手段としては、例えば静止画マージ部１２０のメモリに全矩形領域の高画質現像画像をマージしたことを示すログを残す領域を設けるなどの手段が考えられる。
【００３７】
全矩形領域の高画質現像画像がマージされていない場合は、Ｓ４１１において静止画マージ部１２０が自身のメモリに格納している全矩形領域分の高画質現像画像をマージして１枚の画像を生成する。マージする際の矩形領域毎の位置情報については、ＲＡＷ圧縮部１０６が矩形領域毎の左上の座標をそれぞれの圧縮ＲＡＷ画像のヘッダに書きこみ、高画質現像部１１８が座標情報を高画質現像画像のヘッダにも反映させ、マージさせる際に用いる等が考えられる。
【００３８】
次に、Ｓ４１２において、静止画マージ部１２０にて生成された画像は静止画圧縮部１１２に供給され、高能率符号化を施された後、Ｓ４１３において、記録再生部１０７を介して記録媒体１０８に書き込まれる。
既に、全矩形領域の高画質現像画像がマージされていた場合は、Ｓ４０１に戻る。
【００３９】
＜撮影モード＞
次に、撮像装置１００の撮影モードにおける動作について、本実施形態の撮影モードの処理手順を説明するフローチャートを図５に示し、説明する。
図５において、Ｓ５００で撮影モードの処理が開始されると、Ｓ５０１において、被写体像が撮像レンズ部１０２を介して撮像センサー部１０３によってＲＡＷ画像に変換する。
Ｓ５０２では、撮像センサー部１０３によって変換されたＲＡＷ画像に対し、センサー信号処理部１０４が画素修復のための信号処理を施す。
Ｓ５０３では、センサー信号処理部１０４から供給されたＲＡＷ画像に対して、簡易現像部１０９が簡易的な現像を行う。
【００４０】
Ｓ５０４では、簡易現像部１０９によって生成された簡易現像画像を、静止画圧縮部１１２に供給して高能率符号化する。
Ｓ５０５では、記録再生部１０７を介して記録媒体１０８に書き込む。
【００４１】
次に、Ｓ５０６では、ＲＡＷ画像は画像分割部１０５によって所定の大きさの矩形領域に分割する。
Ｓ５０７では、それぞれの矩形領域がＲＡＷ圧縮部１０６に供給され圧縮される。
Ｓ５０８では、記録再生部１０７を介して記録媒体１０８に記録する。
本実施形態の撮像装置１００の状態は、Ｓ５０８までの１連の処理を終えた段階で、Ｓ５０９に進んでアイドル状態に遷移する。
【００４２】
＜表示モード＞
次に、撮像装置１００の表示モードにおける動作について説明する。
図６は、本実施形態の撮像装置１００の表示モードの処理手順を説明するフローチャートである。
図６において、Ｓ６００において、表示モードの処理が開始されると、Ｓ６０１において、圧縮された簡易現像画像を記録媒体１０８から記録再生部１０７を介して読み出す。
次に、Ｓ６０２において、静止画伸長部１１３で復号される。
Ｓ６０３では、復号された簡易現像画像は表示処理部１１０に供給され、所定の表示処理（ガンマ補正など）を施し、表示部１１１で表示される。
【００４３】
次に、Ｓ６０４において、装置制御部１０１が撮像装置１００をアイドル状態へ遷移させるか否かを判定する。アイドル状態への遷移を判定する手段として、ユーザーが操作部１１９を介して表示終了を指示する、表示部１１１が所定の時間（例えば、１０分）、同じ表示を続けていることを装置制御部１０１（この場合、内部にタイマーを持つ）が確認する等が考えられる。
【００４４】
前述した条件などを満たした場合、Ｓ６０５に進んで装置制御部１０１は撮像装置１００の状態をアイドル状態に遷移させる。
アイドル指示が無い場合、Ｓ６０６において、装置制御部１０１は操作部１１９から拡大表示の指示を受けているか否かを確認する。
【００４５】
拡大表示指示があった場合、Ｓ６０７に進んで拡大選択部１１４は操作部１１９から装置制御部１０１を介して指定された所定領域の矩形領域を、記録再生部１０７を介して記録媒体１０８から読み出す。
Ｓ６０８では、読み出された矩形領域はＲＡＷ伸長部１１７で伸長する。
その後、Ｓ６０９において、高画質現像部１１８に供給され高画質現像された後、Ｓ６１０において、表示処理部１１０を介して表示部１１１に表示する。また、Ｓ６１１において表示処理部１１０への供給と同時に、静止画マージ部１２０のメモリに書き込む。
【００４６】
拡大指示が無い場合、Ｓ６１２において、装置制御部１０１は操作部１１９からスクロール表示の指示を受けているか否かを確認する。
ここで、スクロール表示が無い場合、Ｓ６１３に進んでスクロール予測部１１６が後述するスクロール予測を行い、次に表示される可能性が高い矩形領域を予測する。
その後、Ｓ６１４において、予測した矩形領域の圧縮ＲＡＷ画像を記録再生部１０７を介して記録媒体１０８から読み出す。
Ｓ６１５では、読み出された矩形領域はＲＡＷ伸長部１１７で伸長し、Ｓ６１６において、高画質現像部に供給され高画質現像された後、Ｓ６１７で静止画マージ部１２０のメモリに書き込む。
【００４７】
Ｓ６１２の判定の結果、スクロール指示があった場合、Ｓ６１８に進んでスクロール予測部１１６が自身のメモリにスクロールの方向を記録する。
続いてＳ６１９において、該当する矩形領域の高画質現像画像が静止画マージ部１２０に記録されているか否かを判定する。判定手段としては、該当する矩形領域の高画質現像画像が存在するか否かの情報（例えば、高画質現像画像が存在する場合に“１”、存在しない場合に“０”）を静止画マージ部１２０からスクロール制御部１１５に供給し、それを用いて判定する等が考えられる。
【００４８】
高画質現像がまだ行われていない場合、Ｓ６２０に進んでクロール指示に該当する矩形領域を、記録再生部１０７を介して記録媒体１０８から読み出し、その後、Ｓ６０８〜Ｓ６１１の処理を実行する。
【００４９】
高画質現像済みの場合、Ｓ６２１に進んでスクロール指示に該当する矩形領域の高画質現像画像を静止画マージ部１２０から読み出し、その後、Ｓ６２２において表示処理部１１０を介して表示部１１１で表示する。
【００５０】
＜スクロール予測＞
次に、スクロール予測部１１６の本実施形態におけるスクロール予測動作について説明する。
図７は、本実施形態のスクロール予測時の処理手順を説明するフローチャートである。
Ｓ７００において、本実施形態の撮像装置１００がスクロール予測動作を開始したとき、Ｓ７０１では、スクロール予測部１１６が自身のメモリから直前にスクロール指示が有ったか否かの記録を読み出して、スクロール記録の有無を判定する。
【００５１】
直前にスクロール指示が有った場合は、Ｓ７０２に進んで、スクロール予測部１１６が自身のメモリに記録している直前のスクロール方向を予測方向に用いて、予測方向に存在する矩形領域の圧縮ＲＡＷ画像を次に表示される領域として設定する。
【００５２】
直前にスクロール指示が無かった場合は、Ｓ７０３に進んで、隣り合った矩形領域の内の何れかを次の表示領域として設定する。設定手段はランダムに選んでもよいし、予め方向を決めておいてもよい（例えば右を選ぶようにするなど）。
次に、スクロール表示される矩形領域を予測して、記録媒体１０８から該当する矩形領域の圧縮ＲＡＷ画像を読み出すことを記録再生部１０７に要求した時点で、Ｓ７０４に進み、スクロール予測の動作が終了する。
【００５３】
本実施形態では拡大、スクロール指示に対して、伸長、高画質現像を施す圧縮ＲＡＷ画像を矩形領域毎としているが、複数の矩形の圧縮ＲＡＷ画像に対して、伸長、高画質現像をしてもよい。
【００５４】
以上の様に、本実施形態によれば、撮影モードのときにＲＡＷ画像を簡易的に現像した画像と一緒に、予め矩形領域に分割したＲＡＷ画像も圧縮、記録をする。
そして、表示モードのときには、まずは簡易的に現像した画像を表示して、拡大やスクロールの指示が有った場合に要求された矩形領域の圧縮ＲＡＷ画像を伸長して高画質現像を施した後に表示をする。
【００５５】
拡大、スクロール指示が有ったときに、ＲＡＷ画像全体を伸長して高画質現像をした場合、処理の負荷が大きすぎるために、拡大、スクロール表示までに時間がかかってしまいユーザーにストレスを与えてしまう。そこで、本実施形態においては、ＲＡＷ伸長及び高画質現像の対象を矩形領域に限定することによって、圧縮ＲＡＷ画像の伸長と高画質現像の処理の負荷を小さくし、表示までの時間を短くすることでユーザーにストレスを感じさせない表示システムを構成できる。
【００５６】
また、本実施形態では、拡大表示、スクロール表示、スクロール予測で高画質現像した矩形領域を静止画マージ部１２０のメモリに格納していたが、静止画圧縮部１１２で圧縮した後、記録再生部１０７を介して記録媒体１０８に記録してもよい。この場合、記録媒体１０８は、高画質現像画像１枚分の記憶領域に矩形領域毎に高画質現像した画像を記録して、全部の矩形領域が高画質現像された場合は、静止画伸長部１１３で伸長した後に静止画マージ部１２０に供給する。
【００５７】
静止画マージ部１２０で１枚の高画質現像画像を生成した後、静止画圧縮部１１２に供給して圧縮して、記録再生部１０７を介して記録媒体１０８に記録する。記録媒体１０８に格納する際は、矩形領域毎の高画質現像画像を記録してあった記憶領域に上書きする形で記録する。
【００５８】
［第２の実施形態］
続いて、本発明の第２の実施形態である撮像装置を説明する。本実施形態では、スクロール予測部１１６のメモリに最も多く記録されたスクロール方向をスクロール方向の予測に用いる。
本実施形態において、スクロール予測部１１６を除いた撮像装置の構成及び撮影モード、表示モードの動作フローは第１の実施形態と同様であるため、ここでの説明は省略する。
なお、第１の実施形態ではスクロール予測部１１６のメモリは直前のスクロール方向のみ記録するが、本実施形態では複数回のスクロール操作のスクロール方向の履歴を記録できるようになっている。
【００５９】
図９に、本実施形態のスクロール予測の処理手順を説明するフローチャートを図示し、説明する。
Ｓ９００において、本実施形態の撮像装置１００がスクロール予測動作を開始すると、まずは、Ｓ９０１において、スクロール予測部１１６が自身のメモリから過去にスクロール指示が有ったか否かの記録を読み出し、スクロール記録の有無を判定する。
【００６０】
過去にスクロール指示が有った場合は、Ｓ９０２に進んで、スクロール予測部１１６が自身のメモリに記録している過去のスクロール方向の中で最も多く選択された方向を選択する。選択する手段としては、スクロール予測部１１６のメモリから逐一読み出してカウントするなどの方法が考えられる。
【００６１】
次に、Ｓ９０３において、過去に最も多く選択されたスクロール方向を予測に用いて、予測方向に存在する矩形領域の圧縮ＲＡＷ画像を次に表示される領域として設定する。
過去にスクロール指示が無かった場合は、Ｓ９０４に進んで、隣り合った矩形領域の内の何れかを次の表示領域として設定する。設定手段はランダムに選んでもよいし、予め方向を決めておいてもよい（例えば、右を選ぶようにするなど）。
【００６２】
次に、スクロール表示される矩形領域を予測して、記録媒体１０８から該当する矩形領域の圧縮ＲＡＷ画像を読み出すことを記録再生部１０７に要求した時点で、Ｓ９０５に進み、スクロール予測の動作が終了する。
本実施形態では、スクロール予測に対して、伸長、高画質現像を施す圧縮ＲＡＷ画像を矩形領域毎としているが、予測方向に存在する複数の矩形領域の圧縮ＲＡＷ画像を設定してもよい。
【００６３】
また、スクロール方向を予測する際、記録されているスクロール方向から解析するが、予め複数のスクロール方向に対してカウントする様にしておき、スクロール指示があった場合に該当する方向についてカウントしてもよい。例えば、上下左右の４方向についてカウンタを設けて、右スクロールの指示が有った場合に右方向のカウンタをカウントアップすればよい。
【００６４】
［第３の実施形態］
続いて、本発明の第３の実施形態である撮像装置を説明する。本実施形態では、スクロール予測部１１６のメモリに記録されたスクロール方向を用いて、スクロール方向の予測を行う。
本実施形態において、スクロール予測部１１６を除いた撮像装置の構成及び撮影モード、表示モードの動作フローは第１の実施形態と同様であるため、ここでの説明は省略する。
なお、第１の実施形態ではスクロール予測部１１６のメモリは直前のスクロール方向のみ記録するが、本実施形態では複数回のスクロール操作のスクロール方向を記録できるようになっている。
【００６５】
図１０に、本実施形態のスクロール予測の処理手順を説明するフローチャートを図示し、説明する。
Ｓ１０００において、本実施形態の撮像装置１００がスクロール予測動作を開始すると、Ｓ１００１において、スクロール予測部１１６が自身のメモリから過去にスクロール指示が有ったか否かの記録を読み出し、スクロール記録の有無を判定する。
【００６６】
過去にスクロール指示が有った場合は、Ｓ１００２に進んで、スクロール予測部１１６が自身のメモリに記録している直前の複数回のスクロール方向を、ベクトルとして読み出す。ここで、ベクトルとは、スクロールの方向を向きに持った長さが１の成分を表す。例えば、右スクロールは水平方向ｘに＋１の大きさを持つベクトル（ｘ，ｙ）＝（１，０）、左上スクロールは水平方向ｘに−１、垂直方向ｙに＋１の大きさを持つベクトル（ｘ，ｙ）＝（−１，１）と見なせる。
【００６７】
次に、Ｓ１００３では、ベクトルとして読み出されたスクロール方向を加算する。
次に、Ｓ１００４では、加算結果のベクトルが指す方向を次のスクロール方向として予測し、予測方向に存在する矩形領域の圧縮ＲＡＷ画像を次に表示される領域として設定する。
【００６８】
ベクトルとみなした複数回のスクロール方向の加算の例を図１１に示す。
図１１は、本実施形態の撮像装置１００が３回目のスクロール方向を１回目のスクロール方向と、２回目のスクロール方向から予測する例を示した図である。
【００６９】
１回目のスクロールは右スクロールであるので（１，０）と見なすことができ、２回目のスクロールは下スクロールであるので（０、−１）と見なすことができる。１回目のスクロール方向のベクトルと２回目のスクロール方向のベクトルを加算すると、（１，０）＋（０、−１）＝（１，−１）となる。（１，−１）は右下の向きを持つことから、３回目のスクロール操作の方向は右下であることが予測される。
【００７０】
過去にスクロール指示が無かった場合は、Ｓ１００５に進んで、隣り合った矩形領域の内の何れかを次の表示領域として設定する。設定手段はランダムに選んでもよいし、予め方向を決めておいてもよい（例えば、右を選ぶようにするなど）。
次に、スクロール表示される矩形領域を予測して、記録媒体１０８から該当する矩形領域の圧縮ＲＡＷ画像を読み出すことを記録再生部１０７に要求した時点で、Ｓ１００６に進み、スクロール予測の動作が終了する。
【００７１】
本実施形態では、スクロール予測に対して、伸長、高画質現像を施す圧縮ＲＡＷ画像を矩形領域毎としているが、予測方向に存在する複数の矩形領域の圧縮ＲＡＷ画像を設定してもよい。
【００７２】
［第４の実施形態］
続いて、本発明の第４の実施形態である撮像装置を説明する。本実施形態では、撮影時に認識したオブジェクトの出現位置を用いてスクロールの予測を行う。
本実施形態に係る撮像装置１２００の構成を図１２に示す。ＲＡＷ圧縮部１０６と静止画圧縮部１１２、静止画伸長部１１３、スクロール予測部１１６に追加した機能、及びオブジェクト認識部１２０１、オブジェクト記録部１２０２以外は第１の実施形態の撮像装置１００の構成と同じであるため説明を省略する。
【００７３】
ＲＡＷ圧縮部１０６は、第１の実施形態で説明した機能に加え、高能率符号化をＲＡＷ画像に施す際に、タグ情報を圧縮ＲＡＷ画像のヘッダに書き込む。タグ情報とは、撮影した画像（ここでは、簡易現像画像と圧縮ＲＡＷ画像）と後述するオブジェクト位置情報を結び付けるものであり、撮影時に装置制御部１０１がタグ番号を生成する。
【００７４】
タグの生成手段としては、撮影回数をカウントするカウンタを装置制御部１０１に持たせて、カウンタに記録された数字を用いる等が考えられる。生成されたタグ番号はＲＡＷ圧縮部１０６や静止画圧縮部１１２によって撮影した画像のヘッダに、オブジェクト認識部１２０１によってオブジェクト位置情報のヘッダにそれぞれ記録される。ここで、同じＲＡＷ画像から分割された矩形領域については全て同じタグ情報を埋め込む。
【００７５】
静止画圧縮部１１２は、第１の実施形態で説明した機能に加え、高能率符号化を簡易現像画像に施す際に、ＲＡＷ画像を記録した際に記録されたものと同一のＩＤを持つタグ情報をヘッダに書き込む。
静止画伸長部１１３は、第１の実施形態で説明した機能に加え、簡易現像画像を伸長する際に、ヘッダに埋め込まれたタグ情報を取り出してオブジェクト記録部１２０２に供給する。
【００７６】
スクロール予測部１１６は、第１の実施形態で説明した機能に加え、後述するオブジェクト位置情報を一時的に格納するメモリ（ここでは、位置把握メモリと呼称）を持つ。
また、スクロール予測部１１６は、後述するスクロール予測時に、表示中の矩形領域に隣接する矩形領域にオブジェクトが有るか否かの判定についての履歴も記録する。
【００７７】
オブジェクト認識部１２０１は、撮影モード時に簡易現像画像から矩形領域毎にオブジェクトを抽出する。例えば、画像分割部１０５がＲＡＷ画像を縦と横でそれぞれ２等分した４つの矩形を生成するならば、簡易現像画像も同様に分割した４つの矩形に分けてオブジェクトを抽出する。
【００７８】
オブジェクト認識部１２０１のオブジェクト認識手段として、特許文献２に記載されているテンプレートマッチング法が挙げられる。テンプレートマッチング法とは、予め指定されたオブジェクトと対象となる画像を照合してオブジェクトを抽出する手法である。しかし、本発明はそれに限るものではない。
【００７９】
オブジェクト記録部１２０２は、撮影モード時にオブジェクト認識部１２０１で認識したオブジェクトが出現した矩形領域の位置の情報を示すオブジェクト位置情報を記録する。オブジェクト記録部１２０２は位置メモリを持ち、オブジェクト位置情報を位置メモリに記録する。
【００８０】
また、オブジェクト情報を記録する際には、撮影時に記録するＲＡＷ画像と簡易現像画像と同一のＩＤを持つタグ情報がヘッダ情報として記録され、後述のスクロール予測を行うと撮影時のＲＡＷ画像、簡易現像画像を紐付けるのに用いられる。位置メモリは複数枚の撮影画像に対して、オブジェクト位置情報を記録することができる。
【００８１】
また、オブジェクト記録部１２０２は表示モード時に、静止画伸長部１１３から供給される、表示中の簡易現像画像のヘッダに記録されたタグ情報と同じタグ情報で紐付けられたオブジェクト位置情報をスクロール予測部１１６に供給する。
【００８２】
オブジェクト位置情報の記録の形式としては、オブジェクトが出現した矩形領域に“１”を記録し、オブジェクトが出現しなかった矩形領域に“０”を記録する、オブジェクトが出現した矩形領域の位置のみ記録するなどが考えられる。
【００８３】
図１３に示すように、縦横が２等分で分割された４つの矩形の内、右上の矩形にオブジェクトが出現したことを例に考える。前者の場合は右上の矩形に“１”を記録し、その他の矩形に“０”を記録し、後者の場合はオブジェクトが出現した右上の矩形の位置のみを記録する。
【００８４】
続いて、第４の実施形態である撮像装置１２００の処理フローの説明を行う。ここで、撮像装置１２００の撮影モード、表示モードへの状態遷移、及び表示モードの動作フローが第１の実施形態の撮像装置１００と同じであるため、説明を省略して、撮影モード、スクロール予測を説明する。
【００８５】
＜撮影モード＞
本実施形態の撮像装置１２００の撮影モードにおける動作について説明する。
図１４に、本実施形態の撮影モードの処理手順を説明するフローチャートを図示し、説明する。ここで、簡易現像画像圧縮処理（Ｓ５０４）、ＲＡＷ圧縮処理（Ｓ５０７）の動作、オブジェクト認識処理（Ｓ１４００）とオブジェクト情報記録処理（Ｓ１４０１）以外は第１の実施形態の撮像装置の撮影モード時の動作と同じであるため、説明を省略する。
【００８６】
本実施形態の撮像装置１２００の撮影モードとしては、静止画圧縮部１１２が、簡易現像部１０９から供給された簡易現像画像を圧縮する際に、装置制御部１０１で生成されたタグ情報を圧縮ファイルのヘッダに書き込む（Ｓ５０４、Ｓ５０５）。
【００８７】
その後、Ｓ５０６において、簡易現像部１０９で生成済みの簡易現像画像を矩形に分割する。
次に、Ｓ１４００において、それぞれの矩形に対してオブジェクト認識部１２０１によるオブジェクト認識を行う。
そして、Ｓ１４０１において、オブジェクトが出現した矩形の位置情報をオブジェクト位置情報としてオブジェクト記録部１２０２の位置メモリに記録する。
【００８８】
ここで、オブジェクト記録部１２０２は、簡易現像画像に埋め込まれたものと同一のタグ情報をオブジェクト位置情報に付加して記録する。
続いて、ＲＡＷ圧縮部１０６が撮影したＲＡＷ画像を圧縮する際も、簡易現像画像、オブジェクト位置情報に埋め込まれたものと同一のタグ情報を圧縮ＲＡＷ画像のヘッダに付与し、記録再生部１０７を介して記録媒体１０８に記録する（Ｓ５０７、Ｓ５０８）。
以上の動作が第１の実施形態の撮像装置１００の撮影モード時の動作との差分である。
【００８９】
＜スクロール予測＞
本実施形態におけるスクロール予測部１１６のスクロール予測動作について説明する。
図１５に、本実施形態のスクロール予測の処理手順を説明するフローチャートを図示し、説明する。
Ｓ１５００において、本実施形態の撮像装置１２００がスクロール予測動作を開始する。
次に、Ｓ１５０１において、静止画伸長部１１３から供給された表示中の画像に関する簡易現像画像のヘッダのタグ情報と同一のＩＤを持つタグ情報を持つオブジェクト位置情報をスクロール予測部１１６がオブジェクト記録部１２０２から読み出す。
【００９０】
次に、Ｓ１５０２において、読み出したオブジェクト位置情報を参照する。
次に、Ｓ１５０３において、表示中の矩形領域に隣接した矩形にオブジェクトが出現したか否かを判定する。オブジェクト記録が有った場合はＳ１５０４に進み、呼び出した矩形領域に該当する圧縮ＲＡＷ画像を次の表示領域として設定する。その後、Ｓ１５０７に進んでスクロール予測の動作が終了する。
【００９１】
オブジェクト記録が無かった場合は、Ｓ１５０５に進んで隣接した矩形全てのオブジェクト情報を調べたか否かをスクロール予測部１１６に記録された履歴から判定する。
隣接した矩形全てを調べた場合は、Ｓ１５０６に進んで、隣接した矩形領域の内の何れかを次の表示領域として設定し、そうでない場合はＳ１５０２に戻る。ここで、Ｓ１５０６で設定する矩形領域は、ランダムに選んでもよいし、予め方向を決めていてもよい（例えば、右を選ぶようにするなど）。
【００９２】
次に、スクロール表示される矩形領域を予測して、記録媒体１０８から該当する矩形領域の圧縮ＲＡＷ画像を読み出すことを記録再生部１０７に要求した時点で、Ｓ１５０７に進み、スクロール予測の動作が終了する。
【００９３】
以上のように、本実施形態の撮像装置は、オブジェクト情報を用い、正確なスクロール予測を可能とすることで、スクロール表示の要求があった領域を予め高画質現像して、表示までの時間を短縮することができる。
また、拡大選択指示に対して、予測して高画質現像をすることで、拡大表示にかかる時間を短縮することもできる。
【００９４】
なお、本実施形態では１つの矩形に対してオブジェクト認識、及びオブジェクト情報の記録を行っているが、複数の矩形にまたがってオブジェクト認識、記録をしてもよい。例えば、縦に配置された２つの矩形に人の顔が存在する場合、該当する２つの矩形で同じオブジェクトが記録されることになる。
【００９５】
［第５の実施形態］
続いて、本発明の第５の実施形態である撮像装置を説明する。本実施形態では、撮影時に認識したオブジェクトの内、認識回数が多いオブジェクトを用いてスクロール予測を行う。
本実施形態において、オブジェクト記録部１２０２を除いた撮像装置の構成及び表示モードの動作フローは第１の実施形態と同様であるため、説明を省略する。本実施形態では、オブジェクトの出現回数が多いほど、そのオブジェクトが存在する領域にスクロール指示が発生しやすいとみなして、スクロール予測を行う。
【００９６】
オブジェクト記録部１２０２は、撮影モード時にオブジェクト認識部１２０１で認識したオブジェクト（記録オブジェクト）と、オブジェクトが出現した矩形の位置の情報を示すオブジェクト位置情報を記録する。
【００９７】
オブジェクト記録部１２０２は、２つのメモリ（オブジェクトメモリ、位置メモリ）を持ち、記録オブジェクトをオブジェクトメモリに記録し、オブジェクト位置情報を位置メモリに記録する。ここで、記録オブジェクト及び後述の認識オブジェクトは少ない画素数の画像データ（例えば、１００×１００の白黒画像）として扱われる。なお、オブジェクトメモリは、記録オブジェクト毎に後述する認識回数を記録することができる。また、位置メモリは複数枚の撮影画像に対して、オブジェクト位置情報を記録することができる。
【００９８】
オブジェクト記録部１２０２は、撮影モード時に次の形式で記録オブジェクト及びオブジェクト位置情報を記録する。
まずは、オブジェクト認識部１２０１が認識したオブジェクトについて、認識したオブジェクトそのもの（認識オブジェクト）と、認識オブジェクトが出現した矩形領域の位置の２つの情報をオブジェクト記録部１２０２に供給する。
【００９９】
オブジェクト記録部１２０２は、認識オブジェクトとオブジェクトメモリ内の記録オブジェクトで類似するものがあるか判定を行い、類似するものがあればオブジェクトメモリ内の該当するオブジェクトの認識回数に“１”をインクリメントする。
一方、類似するものが無ければ、認識オブジェクトはオブジェクトメモリの使用していない領域に新たな記録オブジェクトとして登録される。認識オブジェクトとオブジェクトメモリに既に格納されている記録オブジェクトが類似するか否かを判定する手段としては、例えばパターンマッチングを用いることが考えられる。
【０１００】
認識オブジェクトが出現した矩形領域の位置は、位置メモリにオブジェクト位置情報として格納される。なお、オブジェクト位置情報は第４の実施形態と異なり、認識オブジェクトが出現した矩形領域の位置だけでなく、矩形領域毎に撮影した画像のオブジェクトを記録したオブジェクトメモリの番地も記録しておく（認識オブジェクトが無い場合はＮＵＬＬを記録）。第４の実施形態と同様、位置メモリに格納されたオブジェクトの位置情報は、圧縮ＲＡＷ画像、簡易現像画像とタグ情報で紐付けられている。
【０１０１】
図１６（Ａ）の具体例を用いて、撮影時に取得した認識オブジェクトと類似する記録オブジェクトがオブジェクトメモリ内に存在しない場合のオブジェクト情報の記録手順について説明する。
【０１０２】
まず、撮影時に簡易現像部１０９によって生成される簡易現像画像、ＲＡＷ圧縮部１０６によって生成される圧縮ＲＡＷ画像のヘッダに、装置制御部１０１によって生成されたタグ情報“０１”が記録される。その後、オブジェクト認識部１２０１から供給された認識オブジェクト（笑顔）とオブジェクト位置情報（３番目の矩形に笑顔が出現）をオブジェクト記録部１２０２内のオブジェクトメモリ、位置メモリに記録する。その際に、オブジェクト位置情報にもタグ情報“０１”を記録する。
【０１０３】
最後に、認識オブジェクト（笑顔）がオブジェクトメモリに既に格納されている記録オブジェクト（図１６（Ａ）では１２番地に星、１３番地に顰め面）と類似するか否かを判定する。この例では、類似していないためオブジェクトメモリ内の空いている番地（１４番地）に認識オブジェクト（笑顔）を新たなオブジェクトとして登録する。また、１４番地には認識オブジェクト（笑顔）と共に、認識回数“１”を記録する。
【０１０４】
続いて、図１６（Ｂ）の具体例を用いて、撮影時に取得した認識オブジェクトと類似する記録オブジェクトがオブジェクトメモリ内に存在する場合の、オブジェクト情報の記録手順について説明する。
【０１０５】
撮影時に簡易現像部１０９によって生成される簡易現像画像、ＲＡＷ圧縮部１０６によって生成される圧縮ＲＡＷ画像のヘッダに、装置制御部１０１によって生成されたタグ情報“０１”が記録される。
【０１０６】
続いて、オブジェクト認識部１２０１から供給されるオブジェクト位置情報（３番目の矩形に笑顔が出現）を位置メモリに記録する際に、オブジェクト位置情報にもタグ情報“０１”を記録する。最後に、オブジェクト認識部１２０１から供給される認識オブジェクト（笑顔）がオブジェクトメモリに既に格納されている記録オブジェクトと類似するか否かを判定する。この例では、類似するオブジェクト（笑顔）が既に１４番地に格納されているため、１４番地に記録されている認識回数に“１”をインクリメントする。その結果、１４番地の記録オブジェクト（笑顔）の認識回数が“２”となる。
【０１０７】
次に、図１６（Ｃ）の例を用いて、表示時に記録オブジェクトの認識回数を取得する方法について説明する。
まず、表示モード時に選択した画像に関しての簡易現像画像を伸長する際に、静止画伸長部１１３が、簡易現像画像のヘッダからタグ情報“０１”を取り出し、スクロール予測部１１６に供給する。
【０１０８】
スクロール予測部１１６は、タグ情報“０１”をオブジェクト記録部１２０２に供給し、オブジェクト記録部１２０２はタグ情報“０１”が紐付けられているオブジェクト位置情報をスクロール予測部１１６の位置把握メモリに供給する。
【０１０９】
スクロール予測部１１６は、位置把握メモリ内のオブジェクト位置情報を参照し，“ＮＵＬＬ”以外の値（図１６では“１４”）が有った場合は、その値をオブジェクト記録部１２０２に供給する。オブジェクト記録部１２０２は、スクロール予測部１１６から供給された値である“１４”が指しているものが、オブジェクトメモリの１４番地と解釈をして、１４番地に格納されている認識回数である“２”を読み出して、スクロール予測部１１６に供給する。
【０１１０】
＜撮影モード＞
本実施形態の撮像装置１２００の撮影モードにおける動作について説明する。
図１７に、本実施形態の撮影モードの処理手順を説明するフローチャートを図示し、説明する。ここで、記録済みのオブジェクトとの一致判定処理（Ｓ１７００）とオブジェクトの優先度の更新処理（Ｓ１７０１）以外は、第５の実施形態の撮像装置の撮影モード時の動作と同じため、説明を省略する。
【０１１１】
Ｓ１４０１でオブジェクト記録部１２０２によるオブジェクト情報記録が終了すると、Ｓ１７００において、オブジェクト記録部１２０２は自身のオブジェクトメモリに記録しているオブジェクトを呼び出す。
Ｓ１４０１で記録されたオブジェクトと一致するか否かを判定する。判定手段としては、オブジェクト記録部１２０２からオブジェクト情報を逐一呼び出し、Ｓ１４０１で記録されたオブジェクトとパターンマッチングをする等が考えられる。
【０１１２】
Ｓ１７００の判定の結果、オブジェクト記録部１２０２に記録されたオブジェクトと一致するのであれば、Ｓ１７０１に進み、該当するオブジェクトに対して優先度情報を更新する。例えば、優先度情報をＳ１４００での認識回数とみなして、該当するオブジェクトの認識回数を“１”だけインクリメントする等が考えられる。以上の２点が第４の実施形態の撮像装置１２００の撮影モード時の動作と異なる。
【０１１３】
＜スクロール予測＞
次に、スクロール予測部１１６の本実施形態におけるスクロール予測動作について説明する。
図１８に、本実施形態のスクロール予測の処理手順を説明するフローチャートを図示し、説明する。
Ｓ１８００において、本実施形態の撮像装置１２００がスクロール予測動作を開始する。
次に、Ｓ１８０１において、静止画伸長部１１３から供給された表示中の画像に関する簡易現像画像のヘッダのタグ情報を元にスクロール予測部１１６がオブジェクト記録部１２０２からオブジェクト位置情報を読み出す。
【０１１４】
次に、Ｓ１８０２において、読み出したオブジェクト位置情報を参照し、Ｓ１８０３では、表示中の矩形領域に隣接した矩形にオブジェクトが出現したか否かを判定する。
オブジェクト記録が無かった場合は、Ｓ１８０９に進み、隣接した矩形全てのオブジェクト情報を調べたか否かをスクロール予測部１１６に記録された履歴から判定する。
【０１１５】
隣接した矩形全てを調べた場合は、Ｓ１８１０に進んで隣接した矩形領域の内の何れかを次の表示領域として設定し、そうでない場合はＳ１８０２に戻る。
ここで、Ｓ１８１０で設定する矩形領域は、ランダムに選んでもよいし、予め方向を決めていてもよい（例えば右を選ぶようにするなど）。
【０１１６】
Ｓ１８０３の判定の結果、オブジェクト記録が有った場合は、Ｓ１８０４に進み、スクロール予測部１１６は呼び出した矩形領域を次の表示領域の候補として設定する。
次に、Ｓ１８０５において、隣接した矩形領域の中でオブジェクトの有無を調べていない矩形領域のオブジェクト情報を次に呼び出す。
【０１１７】
次に、Ｓ１８０６において、Ｓ１８０３と同様に、呼び出した矩形にオブジェクトが出現したか否かをオブジェクト情報から判定する。オブジェクト記録が有った場合はＳ１８０４を実行する。オブジェクト記録が無かった場合は、Ｓ１８０７において、隣接した矩形全てのオブジェクト情報を調べたか否かをスクロール予測部１１６に記録された履歴から判定する。
【０１１８】
隣接した矩形全てを調べた場合は、Ｓ１８０８において、候補に挙げた内の最も優先度情報が高いオブジェクトを有する矩形領域を次の表示領域として設定する。
次に、スクロール表示される矩形領域を予測して、記録媒体１０８から該当する矩形領域の圧縮ＲＡＷ画像を読み出すことを記録再生部１０７に要求した時点で、Ｓ１８１１に進み、スクロール予測の動作が終了する。
【０１１９】
以上のように、本実施形態の撮像装置は、最も多く撮影されたオブジェクト情報を用いてスクロール予測することで、更に正確にスクロール予測を行うことが期待できる。
なお、本実施形態では１つの矩形に対してオブジェクト認識、及びオブジェクト情報の記録を行っているが、複数の矩形にまたがってオブジェクト認識、記録をしてもよい。例えば、縦に配置された２つの矩形に人の顔が存在する場合、該当する２つの矩形で同じオブジェクトが記録されることになる。
【０１２０】
また、予めユーザーが特定のオブジェクト（キーオブジェクト）を指定して登録するオブジェクト指定手段を設けておき、被写体のオブジェクトがキーオブジェクトと一致、あるいは類似する場合に優先度が高くなるように優先度情報の設定を行ってもよい。例えば、オブジェクト記録部１２０２に記録されたオブジェクトと一致した場合は“１”をインクリメントするが、キーオブジェクトと一致した場合は“２”をインクリメントするなどすればよい。
【０１２１】
この時、キーオブジェクトの設定方法としては、メーカー側が予め用意したオブジェクト（人物の顔や犬、猫など）から選択してもよいし、オブジェクト記録部１２０２に記録されているオブジェクトから選択してもよい。キーオブジェクトの設定は、オブジェクト記録部１２０２から表示処理部１１０に供給されたオブジェクト情報を表示部１１１に表示しておき、ユーザーは表示されたオブジェクトを確認しつつ、操作部１１９を介して設定できる。
【０１２２】
また、本実施形態では最も撮影が多かったオブジェクトを予測に用いるようにしたが、逆に最も撮影が少なかったオブジェクトを予測に用いてもよい。例えば、知らない人物が写真に写っていた場合、知っている人物よりもむしろ知らない人物に興味を持つことが考えられる。この場合、優先度情報の扱いに関しては、インクリメントが少ない優先度情報程、優先度が高いと見なせばよい。
また、拡大選択指示に対して、予め予測して高画質現像をすることで、拡大表示にかかる時間を短縮することもできる。
【０１２３】
［第６の実施形態］
続いて、本発明の第６の実施形態である撮像装置を説明する。本実施形態では、撮影時に追尾対象としたオブジェクトに対して、スクロール予測で用いる優先度情報に重み付けをする。
本実施形態に係る撮像装置１９００の構成例を図１９に示すが、撮影制御部１９０１以外は第４の実施形態の撮像装置１２００の構成と同じであるため説明を省略する。
【０１２４】
撮影制御部１９０１は、オブジェクト認識部１２０１から供給されるオブジェクト情報が予め設定されたオブジェクト（キーオブジェクト）に類似する場合、オブジェクトの出現位置の情報に従って、撮像レンズ部１０２と撮像センサー部１０３を制御する。
【０１２５】
撮影制御部１９０１による撮像レンズ部１０２と撮像センサー部１０３を制御によって、該当するオブジェクトを追尾してフォーカスを合わせる。キーオブジェクトは、メーカー側が予め用意したオブジェクト（人物の顔や犬、猫など）や、オブジェクト記録部１２０２に記録されているオブジェクトからユーザーが選択することができる。
【０１２６】
その場合、キーオブジェクトの設定は、オブジェクト記録部１２０２から表示処理部１１０に供給されたオブジェクト情報を表示部１１１に表示しておき、ユーザーは表示されたオブジェクトを確認しつつ、操作部１１９を介して設定できる。また、キーオブジェクトは、オブジェクト認識部１２０１から表示処理部１１０にオブジェクト情報を供給、表示部１１１に表示するようにして、ユーザーは表示されたオブジェクトを確認しつつ操作部１１９を介して設定してもよい。
【０１２７】
＜撮影モード＞
続いて、本実施形態の撮像装置１９００の撮影モードにおける動作について説明する。
図２０に、本実施形態の撮影モードの処理手順を説明するフローチャートを図示し、説明する。ここで、追尾オブジェクトの判定（Ｓ２０００）以外の処理は、前述した第５の実施形態の撮像装置の撮影モード時の動作と同じため、説明を省略する。
【０１２８】
本実施形態の撮像装置１９００の撮影モードとしては、Ｓ２０００で記録されたオブジェクトが追尾したオブジェクトであるか否かを判定する。Ｓ２０００の判定で追尾オブジェクトである場合は、Ｓ１７０１に進んで該当するオブジェクトに対して優先度情報を更新し、そうでない場合は、Ｓ５０７に進み、そのままＲＡＷ圧縮部１０６によるＲＡＷ画像の圧縮を実行する。
【０１２９】
Ｓ１７０１の優先度情報の更新は、優先度情報をＳ１７００でのオブジェクト記録部１２０２に記録されているオブジェクトの認識回数として、該当するオブジェクトの認識回数を“１”だけインクリメントする方法が考えられる。
以上の動作が第５の実施形態の撮像装置１２００の撮影モード時の動作との差分である。
表示モード、スクロール予測については第５の実施形態の撮像装置の動作と同じであるため、説明を省略する。
【０１３０】
以上のように、本実施形態の撮像装置は、追尾したオブジェクトに対して、スクロール予測時の優先度を高くすることで、正確にスクロール予測を行うことが期待できる。理由としては、オブジェクト追尾を用いるということは、ユーザーが追尾する被写体に興味を持っていると見なせることが考えられる。
【０１３１】
［第７の実施形態］
続いて、本発明の第７の実施形態である撮像装置を説明する。本実施形態では、撮影時に人の顔の向きを認識しておき、スクロール予測の時に人の顔の向きを予測に用いる。
本実施形態に係る撮像装置２１００の構成を図２１に示すが、顔向き認識部２１０１、顔向き記録部２１０２及びスクロール予測部１１６以外は第１の実施形態の撮像装置の構成と同じであるため説明を省略する。
【０１３２】
顔向き認識部２１０１は、撮影モード時に簡易現像部１０９から供給された簡易現像画像を用いて矩形領域毎に人の顔の向き抽出する。例えば、画像分割部１０５がＲＡＷ画像を縦と横でそれぞれ２等分した４つの矩形を生成するならば、簡易現像画像も同様に分割した４つの矩形に分けて顔の向きを検出する。
【０１３３】
顔向き認識部２１０１の顔の向きを認識する手段として、人の目や鼻、口などの特徴点を抽出して、顔の向きを求める手法を用いることができる。例えば、目と鼻、口に対して特徴点を抽出する場合、特徴点が右に偏っていれば右向きと判断できる。しかし、本発明はそれに限るものではない。
【０１３４】
顔向き記録部２１０２は、撮影モード時に顔向き認識部２１０１で認識した顔向き情報と人の顔が出現した矩形の位置の情報を記録しておき、表示モード時に記録した顔向き情報をスクロール予測部１１６に供給する。
【０１３５】
図２２に図示するように、２つの矩形に人の顔が出現した場合を例に挙げる。ここで、顔の向きを記録する場合、例えば上下左右の４方向を記録できるとすると、上を“１”、下を“２”、左を“３”、右を“４”、正面あるいは後ろを向いていた場合は“５”として顔向き記録部２１０２に記録する。また、人物の顔が出現しない場合は“０”を記録する。スクロール予測部１１６は、顔向き記録部２１０２が顔の向きに対して付けた番号を解析して顔向き情報を取りだすことができる。
【０１３６】
まず、撮影モード時に、顔向き認識部２１０１が３番目の矩形に右向きの人の顔が出現したという情報を顔向き記録部２１０２に記録する。顔向き記録部２１０２は、３番目の矩形に右向きを表す“４”を、４番目の矩形に“５”を記録し、その他の矩形に対しては“０”を記録する。
【０１３７】
表示モード時に３番目の矩形を拡大表示している場合、顔向き記録部２１０２から“４”の情報が、スクロール予測部１１６に供給される。スクロール予測部１１６は、“４”の情報から３番目の矩形に右向きの顔が存在することを解析して、隣接する領域の内、右隣の領域を次にスクロール表示される領域として予測する。
【０１３８】
スクロール予測部１１６は、第１の実施形態で説明した機能に加え、後述するスクロール予測時の、表示中の矩形領域に隣接する矩形領域に人物の顔が有るか否かの判定についての履歴も記録する。
【０１３９】
続いて、第７の実施形態である撮像装置２１００の処理フローの説明を行う。ここで、撮像装置２１００の撮影モード、表示モードへの状態遷移、及び表示モードの動作フローが第１の実施形態の撮像装置と同じであるため、説明を省略して、撮影モード、スクロール予測を説明する。
【０１４０】
＜撮影モード＞
続いて、本実施形態の撮像装置２１００の撮影モードにおける動作について説明する。
図２３に、本実施形態の撮影モードの処理手順を説明するフローチャートを図示し、説明する。ここで、顔向き認識処理（Ｓ２３００）と顔向き情報記録処理（Ｓ２３０１）以外は第１の実施形態の撮像装置の撮影モード時の動作と同じであるため、説明を省略する。
【０１４１】
本実施形態の撮像装置２１００の撮影モードとしては、Ｓ５０５で生成された簡易現像画像をＳ５０６の画像分割と同じように矩形に分割して、Ｓ２３００において、それぞれの矩形に対して顔向き認識部２１０１による顔向き認識を行う。
その後、Ｓ２３０１において、Ｓ２３００で認識された顔向き情報と人物の顔が出現した矩形の情報を顔向き記録部２１０２に記録する。
以上の２つの動作が第１の実施形態の撮像装置１００の撮影モード時の動作との差分である。
【０１４２】
＜スクロール予測＞
次に、スクロール予測部１１６の本実施形態におけるスクロール予測動作について説明する。
図２４に、本実施形態のスクロール予測の処理手順を説明するフローチャートを図示し、説明する。
Ｓ２４００において、本実施形態の撮像装置２１００がスクロール予測動作を開始する。
次に、Ｓ２４０１において、顔向き記録部２１０２から拡大表示中の矩形の顔向き情報を呼び出す。
次に、Ｓ２４０２において、人物の顔が出現したか否かを判定する。
【０１４３】
本実施形態では、人物の顔の向きだけでなく、人物の顔が出現したか否かについても人物の顔情報として記録される。例えば、上下左右の４方向を記録できるとすると、上を“１”、下を“２”、左を“３”、右を“４”、正面あるいは後ろを向いていた場合は“５”として顔向き記録部２１０２に記録される。
【０１４４】
人物の顔の記録が有った場合は、Ｓ２４０３に進み、次に顔の向きが正面や後ろであるか否かを判定する。
正面または後ろ以外で有った場合は、Ｓ２４０４に進み、顔の向きの方向に有る矩形領域を次の表示領域として予測し、設定する。
【０１４５】
正面、後ろを向いていた場合は、Ｓ２４０５に進み、顔向き記録部２１０２から隣接した何れかの矩形領域を呼び出す。
次に、Ｓ２４０６において、人物の顔が存在するか否かを判定する。
Ｓ２４０６の判定の結果、人物の顔が存在する場合は、Ｓ２４０７に進み、呼び出した矩形領域を次の表示領域として予測する。そうでない場合は、Ｓ２４０８に進み、隣接する矩形領域の顔向き情報を全て調べたか否かをスクロール予測部１１６に記録された履歴から判定する。
【０１４６】
Ｓ２４０８の判定の結果、隣接した矩形全てを調べた場合は、Ｓ２４０９に進み、隣接した矩形領域の内の何れかを次の表示領域として設定する。そうでない場合はＳ２４０５に戻る。ここで、Ｓ２４０９で設定する矩形領域は、ランダムに選んでもよいし、予め方向を決めていてもよい（例えば、右を選ぶようにするなど）。
【０１４７】
次に、スクロール表示される矩形領域を予測して、記録媒体１０８から該当する矩形領域の圧縮ＲＡＷ画像を読み出すことを記録再生部１０７に要求した時点で、Ｓ２４１０に進み、スクロール予測の動作が終了する。
【０１４８】
以上のように、本実施形態の撮像装置は、人物の顔の向きを用いてスクロール予測することで、正確にスクロール予測を行うことが期待できる。
なお、本実施形態では人物の顔の向きを用いるが、本発明はそれに限るものではない。例えば、動物（犬や猫など）の顔を用いてもよい。
【０１４９】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【０１５０】
１００  撮像装置
１０１  装置制御部
１０２  撮像レンズ部
１０３  撮像センサー部
１０４  センサー信号処理部
１０５  画像分割部
１０６  ＲＡＷ圧縮部
１０７  記録再生部
１０８  記録媒体
１０９  簡易現像部
１１０  表示処理部
１１１  表示部
１１２  静止画圧縮部
１１３  静止画伸長部
１１４  拡大選択部
１１５  スクロール制御部
１１６  スクロール予測部
１１７  ＲＡＷ伸長部
１１８  高画質現像部
１１９  操作部
１２０  静止画マージ部
【図１】
2015220606.tif 000003
【図２】
2015220606.tif 000004
【図３】
2015220606.tif 000005
【図４】
2015220606.tif 000006
【図５】
2015220606.tif 000007
【図６】
2015220606.tif 000008
【図７】
2015220606.tif 000009
【図８】
2015220606.tif 000010
【図９】
2015220606.tif 000011
【図１０】
2015220606.tif 000012
【図１１】
2015220606.tif 000013
【図１２】
2015220606.tif 000014
【図１３】
2015220606.tif 000015
【図１４】
2015220606.tif 000016
【図１５】
2015220606.tif 000017
【図１６】
2015220606.tif 000018
【図１７】
2015220606.tif 000019
【図１８】
2015220606.tif 000020
【図１９】
2015220606.tif 000021
【図２０】
2015220606.tif 000022
【図２１】
2015220606.tif 000023
【図２２】
2015220606.tif 000024
【図２３】
2015220606.tif 000025
【図２４】
2015220606.tif 000026